(57)【要約】      （修正有）【課題】外力を受けても容易にロックが解除されないように扉を確実にロックし、扉に外力が加えられても、扉や、戸当りのロック部分が壊れない限り、扉を所定の位置（開放位置）に保持させることができる戸当りを提供する。【解決手段】床面Ｆに対して旋回可能に取り付けられた、磁性材料からなり、凹所または孔が穿設された当接板と、開閉可能な扉の下縁に固着され、少なくとも前記床面と対向する対向部５１ａを備えた基部５１と、前記対向部から少なくとも部分的に露出した磁石Ｍと、前記対向部から出没自在に設けられた棒状体５４と、前記棒状体に対して押圧力を付与する押圧体５２と、前記棒状体を対向部と押圧体との間に介装され、前記押圧体を前記対向部から遠ざかる方向に付勢する１つのばねＳとからなることを特徴とする。【選択図】図１
0003157504.tif 000002
【実用新案登録請求の範囲】
【請求項１】
床面（Ｆ）に対して旋回可能に取り付けられた、磁性材料からなり、凹所または孔（Ｈ２）が穿設された当接板（５６）と、
住戸内等の部屋を仕切る開閉可能な扉（Ｄ）の下縁（Ｄ１）に固着され、少なくとも前記床面（Ｆ）と対向する磁性材料からなる対向部（５１ａ）を備えた基部（５１）と、
前記対向部（５１ａ）から少なくとも部分的に露出した磁石（Ｍ）と、前記対向部（５１ａ）から出没自在に設けられた棒状体（５４）と、
前記棒状体（５４）に対して押圧力を付与する押圧体（５２）と、
前記棒状体（５４）を対向部（５１ａ）と押圧体（５２）との間に介装され、前記押圧体（５２）を前記対向部（５１ａ）から遠ざかる方向に付勢する１つのばね（Ｓ）とからなり、
前記扉（Ｄ）が開放され、前記磁石（Ｍ）にひきつけられた前記当接板（５６）が前記対向部（５１ａ）に近接または接触して、当該当接板（５６）の凹所または孔（Ｈ２）に前記棒状体（５４）の尖端（５４ｂ）が嵌入したとき、前記棒状体（５４）が前記床面（Ｆ）から遠ざかる方向に移動不能であり、かつ前記棒状体（５４）の尖端部（５４ｂ）の前記当接板（５６）の凹所または孔（Ｈ２）への嵌入状態が維持可能である
ことを特徴とする戸当り。
【請求項２】
前記扉（Ｄ）が開放され、前記磁石（Ｍ）にひきつけられた前記当接板（５６）が前記対向部（５１ａ）に近接または接触して、当該当接板（５６）の凹所または孔（Ｈ２）に前記棒状体（５４）の尖端（５４ｂ）が嵌入していない状態で、前記棒状体（５４）が前記床面（Ｆ）から遠ざかる方向に移動可能にする手段（Ｇ、Ｇ３、５４）が設けられてなる請求項１記載の戸当り。
【請求項３】
床面（Ｆ）に対して旋回可能に取り付けられた、磁性材料からなり、凹所または孔（Ｈ２）が穿設された当接板（５６）と、
住戸内等の部屋を仕切る開閉可能な扉（Ｄ）の下縁（Ｄ１）に固着され、少なくとも前記床面（Ｆ）と対向する磁性材料からなる対向部（５１ａ）を備えた基部（５１）と、
前記対向部（５１ａ）から少なくとも部分的に露出した磁石（Ｍ）と、前記対向部（５１ａ）から出没自在に設けられた板状体（５４）と、
前記板状体（５４）に対して押圧力を付与する押圧体（５２）と、
前記板状体（５４）を対向部（５１ａ）と押圧体（５２）との間に介装され、前記押圧体（５２）を前記対向部（５１ａ）から遠ざかる方向に付勢する１つのばね（Ｓ）とからなり、
前記扉（Ｄ）が開放され、前記磁石（Ｍ）にひきつけられた前記当接板（５６）が前記対向部（５１ａ）に近接または接触して、当該当接板（５６）の凹所または孔（Ｈ２）に前記板状体（５４）の尖端（５４ｂ）が嵌入したとき、前記板状体（５４）が前記床面（Ｆ）から遠ざかる方向に移動不能であり、かつ前記板状体（５４）の尖端部（５４ｂ）の前記当接板（５６）の凹所または孔（Ｈ２）への嵌入状態が維持可能である
ことを特徴とする戸当り。
【請求項４】
前記扉（Ｄ）が開放され、前記磁石（Ｍ）にひきつけられた前記当接板（５６）が前記対向部（５１ａ）に近接または接触して、当該当接板（５６）の凹所または孔（Ｈ２）に前記板状体（５４）の尖端（５４ｂ）が嵌入していない状態で、前記板状体（５４）が前記床面（Ｆ）から遠ざかる方向に移動可能にする手段（Ｇ、Ｇ３、５４）が設けられてなる請求項３記載の戸当り。
【考案の詳細な説明】
【技術分野】
【０００１】
本考案は戸当りに関する。
【背景技術】
【０００２】
従来の戸当りとして、特許文献１には、図１１に示されるように、戸の遊端下部に設けられた入り隅状の被係合部２５と、閉じた戸の前記被係合部２５に対向する床側に配設された係合部材１２と、磁石２６とから成り、前記係合部材１２は、倒伏姿勢と先端が前記被係合部２５に係合する傾斜姿勢との間で上下揺動可能に一端部が支承され、前記磁石２６は、戸側と係合部材１２との内、少なくとも一方に併設されたもので、他方に併設された被吸着面との間の磁気吸着力により前記係合部材１２を倒伏姿勢から傾斜姿勢へ引き上げて、その先端を閉じた戸の前記被係合部２５に係合させて、当該戸が閉じ限位置から内側へ移動するのを阻止するようにした戸の振れ止め装置であって、前記被係合部２５と係合部材１２の先端とが係合する状態において、戸の強制開動により互いに離脱可能な状態で略上下方向に互いに嵌合し合う凹部３０と可動突起３１とを、戸側と係合部材１２側とに設けた構成が記載されている。可動突起３１は、戸側に略上下方向に一定範囲内で出退移動自在に設けられ、かつスプリング３３により下向き突出方向に付勢されている。円錐状の可動突起３１は、被係合部材１８の傾斜底面２４に対し略直角方向に穿設された貫通孔３２内に略上下方向に移動自在に遊嵌され、かつスプリング３３により下向き突出方向に付勢されている。３４は、貫通孔３２の上端開口を閉じるキャップであって、前記スプリング３３の上端を受け止める。そして、この可動突起３１の下向き突出方向先端を受け止めるストッパー３５が、前記傾斜底面２４との間に前記係合部材１２の凹部（貫通円形孔）３０を備えた先端部が進入する空間３６を形成するように、取り付け座１９の下端部から突設されている。
【０００３】
上記構成により、図１１に示すように戸２３が閉じ限位置に達したとき、永久磁石２６により引き上げられて上方に回動した床面２側の係合部材１２の先端部が、戸２３側の可動突起３１をスプリング３３の付勢力に抗して押し上げながら、被係合部材１８の傾斜底面２４とストッパー３５との間の空間３６内に進入し、先端が入り隅状被係合部２５に係合したとき、スプリング３３の付勢力で下降突出する可動突起３１が係合部材１２側の凹部３０内に嵌入する。
【０００４】
すなわち、特許文献１の振れ止め装置は、スプリング３３により可動突起３１を下向きに付勢することにより、係合部材１２が永久磁石２６の磁力によって引きつけられて引き上げられたときに、床面に対して旋回可能に設けられた当該係合部材１２の凹部３０に可動突起３１を嵌入させて、扉を閉鎖された状態に保持するものである。
【０００５】
また、特許文献２には、図１２に示されるように、扉１２０の下端縁部分に形成された凹孔１２０ａに嵌入設置されるケース本体１０２と、このケース本体１０２に内設される調整用螺子部材１０３と、この調整用螺子部材１０３に一端が係合し介在されるスプリング１０６により付勢しながら扉端縁より外方に突出する係合ロッド１０４とから構成される扉キャッチ１０１が開示されている。
【０００６】
これら扉キャッチ１０１を構成する各パーツの組立ては、図１２に示されるように、係合ロッド１０４の軸部１０４ｂに対してスプリング１０６を挿設した後、前記調整用螺子部材１０３の略Ｕ字状凹孔および略コ字状の切欠きに対して、係合ロッド１０４の基端係合部１０４ａおよび軸部１０４ｂを側方側から嵌入し係合させる。この係合状態のままで、ケース本体１０２の中空孔に対して貫入し、前記調整螺合部材１０３が中空孔のネジ溝１０２ｂに接触したならば、係合ロッド１０４を回転させることにより前記調整螺合部材１０３を回転させ、前記ネジ溝１０２ｂに対して調整螺合部材１０３を螺合させる。前記調整螺合部材１０３のねじ込み量を調整することにより、係合ロッド１０４の突出量および受けキャッチ１１０に対する係合具合を調整する。係合ロッド１０４の突出量は、扉１２０を開いた状態で、床Ｆに接触せず、かつ受けキャッチ１１０に対し円滑に係脱し得る突出量とするものである。
【０００７】
すなわち、特許文献２には、スプリング１０６により係合ロッド１０４を下向きに付勢して、当該ロッド１０４を床面に設けられた受けキャッチ１１０に係合することにより扉を開放した状態に保持する扉キャッチ１０１が開示されている。
【先行技術文献】
【特許文献】
【０００８】
【特許文献１】特開２０００−８０８５５号公報
【特許文献２】特開平９−２５７５６号公報
【考案の概要】
【考案が解決しようとする課題】
【０００９】
特許文献１および２に記載された扉止め装置は、バネにより可動突起または係合ロッドを下向きに付勢して当該係合ロッドまたは可動突起を床面に設けられた受けキャッチまたは床面に対して旋回可能に設けられた係合部材の凹部に嵌入させて係止し、扉を閉鎖状態または開放状態に保持している。しかし、扉が強風に煽られたり、人がぶつかるなどによって外力が付与された場合に、バネの下向きの付勢力に抗して可動突起もしくは係合ロッドが上方に移動する。したがって、特許文献１および２の戸当りは、扉に外力が加えられた場合、装置自体が壊れることはないが、容易に開放し扉を確実にロックすることはできない。
【００１０】
そこで、本考案はかかる事情に鑑みて、外力を受けても容易にロックが解除されないように扉を確実にロックし、扉に外力が加えられても、扉や、戸当りのロック部分が壊れない限り、扉を所定の位置（開放位置）に保持させることができる戸当りの提供を目的とする。
【課題を解決するための手段】
【００１１】
本考案の戸当りは、床面に対して旋回可能に取り付けられた、磁性材料からなり、凹所または孔が穿設された当接板と、住戸内等の部屋を仕切る開閉可能な扉の下縁に固着され、少なくとも前記床面と対向する磁性材料からなる対向部を備えた基部と、前記対向部から少なくとも部分的に露出した磁石と、前記対向部から出没自在に設けられた棒状体と、前記棒状体に対して押圧力を付与する押圧体と、前記棒状体を対向部と押圧体との間に介装され、前記押圧体を前記対向部から遠ざかる方向に付勢する１つのばねとからなり、前記扉が開放され、前記磁石にひきつけられた前記当接板が前記対向部に近接または接触して、当該当接板の凹所または孔に前記棒状体の尖端が嵌入したとき、前記棒状体が前記床面から遠ざかる方向に移動不能であり、かつ前記棒状体の尖端部の前記当接板の凹所または孔への嵌入状態が維持可能であることを特徴とする。
【００１２】
本考案において棒状体とは、円柱形状のもの、多角柱状のもの（三角柱状、四角柱状、五角柱状、六角柱状等）、紡錘状のもの、先端先細り状のものであり、先端に鉤状の部分を有するものおよびその均等物（当業者に自明な変更、修正、変形）を含む概念である。また、本考案において棒状体には、いうまでもなく、堤状のもの、下方側に向かうにつれて末広がりになっているものも含まれる。
【００１３】
また、前記扉が開放され、前記磁石にひきつけられた前記当接板が前記対向部に近接または接触して、当該当接板の凹所または孔に前記棒状体の尖端が嵌入していない状態で、前記棒状体が前記床面から遠ざかる方向に移動可能にする手段が設けられてなることが好ましい。
【００１４】
また、本考案の戸当りは、床面に対して旋回可能に取り付けられた、磁性材料からなり、凹所または孔が穿設された当接板と、住戸内等の部屋を仕切る開閉可能な扉の下縁に固着され、少なくとも前記床面と対向する磁性材料からなる対向部を備えた基部と、前記対向部から少なくとも部分的に露出した磁石と、前記対向部から出没自在に設けられた板状体と、前記板状体に対して押圧力を付与する押圧体と、前記板状体を対向部と押圧体との間に介装され、前記押圧体を前記対向部から遠ざかる方向に付勢する１つのばねとからなり、前記扉が開放され、前記磁石にひきつけられた前記当接板が前記対向部に近接または接触して、当該当接板の凹所または孔に前記板状体の尖端が嵌入したとき、前記板状体が前記床面から遠ざかる方向に移動不能であり、かつ前記板状体の尖端部の前記当接板の凹所または孔への嵌入状態が維持可能であることを特徴とする。
【００１５】
本考案において板状体とは、上端から下端にわたって同一幅のもの、先端に行くにしたがって先細りのもの、先端に行くにしたがって末広がりのもの、上端および下端が末広がりで、中央部の幅が狭くなったものであり、先端部に鉤状の部分を有するものおよびその均等物（当業者に自明な変更、修正、変形）を含む概念である。
【００１６】
また、前記扉が開放され、前記磁石にひきつけられた前記当接板が前記対向部に近接または接触して、当該当接板の凹所または孔に前記板状体の尖端が嵌入していない状態で、前記板状体が前記床面から遠ざかる方向に移動可能にする手段が設けられてなることが好ましい。
【考案の効果】
【００１７】
本考案の戸当りによれば、扉が強風に煽られたり、人がぶつかるなどによって外力が付与されても、容易にロックが解除されないように扉を確実にロックし、扉に外力が加えられても、扉を所定の位置（開放位置）に保持することができる。
【図面の簡単な説明】
【００１８】
【図１】本考案の戸当りを説明するための原理図である。
【図２】本考案の戸当りを説明するための原理図である。
【図３】本考案の戸当りの他の態様を説明するための原理図である。
【図４】本考案の戸当りの他の態様を説明するための原理図である。
【図５】（ａ）および（ｂ）は本考案の戸当りの一実施の態様を説明するための説明図である。
【図６】（ａ）および（ｂ）は本考案の戸当りに用いられる押圧体および棒状体の他の実施の態様を説明する断面図である。
【図７】本考案の戸当りに用いられるばねの他の態様を説明するための図である。
【図８】本考案の戸当りに用いられる当接板の他の態様を説明するための図である。
【図９】本考案の戸当りに用いられる棒状体の他の態様を説明するための図である。
【図１０】本考案の戸当りに用いられる板状体の他の態様を説明するための図である。
【図１１】従来のドアの固定状態を示す説明図である。
【図１２】従来のドアの固定状態を示す説明図である。
【考案を実施するための形態】
【００１９】
図１および２に本考案の原理図を示す。本考案の戸当りは、住戸の床面Ｆに対して旋回可能に取り付けられた磁性材料からなり、孔Ｈ２が穿設された当接板５６と、住戸内等の部屋を仕切る開閉可能な扉Ｄの下縁に固定された基部５１と、基部５１に設けられた磁石Ｍと、基部５１から出没自在に設けられた棒状体５４と、棒状体５４に対して押圧力を付与する押圧体５２と、押圧体５２と基部５１との間に介装されるばねＳとから構成されている。
【００２０】
図１に示すように、基部５１はビスやネジ、接着剤等の公知の固着手段５５により扉Ｄの下縁Ｄ１に固着されている。基部５１は、床面Ｆと対向する図１中下側の面である対向部５１ａを有し、対向部５１ａは磁性材料から構成される。当該対向部５１ａには、棒状体５４が出没する挿通孔Ｈが設けられている。また、基部５１の対向部５１ａには、磁石Ｍが取り付けられ、対向部５１ａの下面から少なくとも部分的に露出している。図２に示すように、扉Ｄが開放位置に到達したときに、扉Ｄの下縁Ｄ１に取り付けられた基部５１が、磁性材料からなる当接板５６の上方に位置したときに床面Ｆに取り付けられた当接板５６を磁石Ｍの磁力により引きつけ、扉Ｄを開放位置で保持する。なお、当接板５６の材質としては、鉄、コバルト、ニッケルおよびその合金が好適に採用される。
【００２１】
図１および２に示すように、基部５１には棒状体５４を上下させる押圧体５２が設けられ、押圧体５２を足や手で押すことにより棒状体５４が基部５１内に収納された状態と基部５１から突出した状態との間で、棒状体５４の位置を調整することができる。図１および２に示すように、押圧体５２と基部５１の対向部５１ａの上面との間には、ばねＳが介装され、ばねＳは押圧体５２を上方向に付勢している。当該ばねＳの弾性力により、一度下側に移動した押圧体５２は、嵌入状態保持機構であるピン５３が押圧体５２の上側の凹部５２ａから外されたときにばねＳの弾性力により上側に戻り、ピン５３が押圧体５２の下側の凹部５２ｂに挿し込まれて上側の位置で押圧体５２を保持する（図１参照）。また、図１の状態から図２の状態にするには、ピン５３を凹部５２ｂから抜き、指や足で押圧体５２を下方に押し込み、上側の凹部５２ａにピン５３を挿し込むことにより下側の位置で押圧体５２を保持する。なお、ばねＳは、圧縮コイルバネを好適に用いることができるが、図７に示すように、押圧体５２と対向部５１ａの間に板バネＬを介装させてもよく、当業者に自明な修正・変更は本考案に含まれる。
【００２２】
押圧体５２には、棒状体５４が設けられている。棒状体５４は、垂直方向に延びる板状体であってもよい。棒状体５４は、図９（ａ）に示すように、円柱形状の棒状部分５４ｃの先端に鉤状部分５４ｂが設けられたもの、図９（ｂ）に示すように、三角柱形状の棒状部分５４ｃ、図９（ｃ）に示す紡錘状の棒状部分５４ｃ、図９（ｄ）に示すように先端先細り状の棒状部分５４ｃであってもよく、図９（ｂ）〜（ｄ）では図示を省略しているが、それぞれの棒状部分５４ｃの先端に鉤状部分５４ｂが設けられる。図９（ｂ）では、三角柱形状の棒状部分５４ｃを示しているが、棒状部分５４ｃは、四角柱、五角柱、六角柱等の多角形状であっても構わない。図９に示した形状はあくまで一例であり、当業者に自明な変更、修正、変形は本考案の棒状体に含まれる。また、棒状体５４の棒状部分５４ｃは、図９（ｅ）に示す堤状のもの、図９（ｆ）に示す下方側に向かうにつれて末広がりになったものも含まれることはいうまでもない。
【００２３】
また、板状体５４の場合、図１０（ａ）に示すように、板状体５４の上端から下端にわたって同一幅の板状部分５４ｃ、図１０（ｂ）に示すように、先端に行くにしたがって先細りの板状部分５４ｃ、図１０（ｃ）に示すように、先端に行くにしたがって末広がりの板状部分５４ｃ、上端および下端が末広がりで、中央部の幅が狭くなった板状部分５４ｃであってもよい。また、板状体５４は、図１０（ａ）に示すように、先端部に鉤状部分５４ｂを有している（図１０（ｂ）〜（ｄ）は鉤状部分は図示を省略している）。図１０に示した形状はあくまで一例であり、当業者に自明な変更、修正、変形は本考案に含まれる。
【００２４】
棒状体５４の尖端である鉤状部分５４ｂは、床面Ｆに旋回軸Ａｘを中心に旋回可能に取り付けられた当接板５６に穿設された孔Ｈ２に嵌入して扉Ｄを確実にロックし、棒状体５４の鉤状部分５４ｂが孔Ｈ２に嵌入したとき、棒状体５４の鉤状部分５４ｂと孔Ｈ２が強固にロックされ、棒状体５４は床面Ｆから遠ざかる方向に移動不能である。また、孔Ｈ２に棒状体５４の鉤状部分５４ｂが嵌入しているときに扉Ｄが強風に煽られたり、人がぶつかるなどによって外力が付与されても扉が確実にロックされ、棒状体５４の嵌入状態が維持される。なお、孔Ｈ２は、貫通していない凹所（図８参照）としても構わない。なお、図８は床面Ｆに穴Ｃ３を設け、回転軸Ａｘおよび当接板５６を床面Ｆと面一にし、人が床面Ｆに設けられた当接板５６でつまづくことを防止することができる。
【００２５】
図１に示すように、棒状体５４には、棒状体５４を移動可能にする手段である溝Ｇが棒状体５４の垂直方向に沿って設けられている。また、押圧体５２には棒状体５４が収納され、棒状体５４の上端部５４ａが上方向に移動可能な空間Ｃ２が設けられている。押圧体５２には、図１に示すように、棒状体５４の溝Ｇと係合する係合突起５２ｃが設けられ、棒状体５４の溝Ｇの上端Ｇ１と押圧体５２の係合突起５２ｃとが係合し、棒状体５４を保持している。空間Ｃ２が設けられ、押圧体５２の係合突起５２ｃと棒状体５４の溝Ｇの上端Ｇ１とが係合することにより、棒状体５４が基部５１の対向部５１ａから突出した状態で扉Ｄを開閉途中に、床面Ｆ側に突出した棒状体５４と接触する高さの障害物Ｂ（たとえば、床面Ｆに取り付けられた配線カバーなど）がある場合であっても、溝Ｇの上端Ｇ１から下端Ｇ２の間、または係合突起５２ｃの上面と空間Ｃ２の上側の壁５２ｉまでの間、棒状体５４が上方向に逃げることができる。なお、図６（ａ）および（ｂ）に示すように、棒状体５４が押圧体５２と一体となったものも本考案に含まれることはいうまでもない。
【００２６】
棒状体５４の鉤状部分５４ｂは、図１〜４に示すように、扉Ｄ側に向かって突出しており、鉤状部分５４ｂの直上には、扉Ｄ側に当接板５６が係止される係止凹部が形成されている。磁石Ｍの磁力により引きつけられた当接板５６は、基部５１の対向部５１ａまたは磁石Ｍと接触して扉Ｄを仮保持し、対向部５１ａまたは磁石Ｍと接触した当接板５６の孔Ｈ２に棒状体５４が嵌入して扉Ｄがロックされるが、図２に示すように、当接板５６が基部５１の対向部５１ａと当接していない非接触の状態で、棒状体５４が当接板５６係合してもよい。
【００２７】
図３および４は、図１および図２の変形例を示す原理図であり、押圧体５２の凹部５２ｄ、５２ｅは垂直方向に延びた溝状の凹部であり、図１および２のようなピン５３とぴったりと嵌まり込む形状でなくともよい。図３および４においてピン５３は凹部５２ｄ、５２ｅの下端５２ｆ、５２ｇで押圧体５２と接触しており、ピン５３により押圧体５２がそれ以上、上に移動しない構成となっている。
【００２８】
つぎに、図１〜４の原理を用いた実施例を、図５を用いて説明する。図５に示される戸当りは、図１〜４の原理図で示された棒状体５４の溝Ｇが、棒状体５４の上端側に設けられた長孔Ｇ３となっている。また、図１〜４ではピン５３であった嵌入状態保持手段が、図５（ａ）および（ｂ）に示す基部５１の溝Ｇ４内を移動する蝶型移動子５３ａにより、上下位置で押圧体５２を保持している。溝Ｇ４は、溝Ｇ４の上部が幅狭部ＧＣ、幅広部ＧＡと、幅広部ＧＡと幅狭部ＧＣの間には上部に向かうにつれて幅が漸減する遷移部ＧＢとからなる。蝶型移動子５３ａと溝Ｇ４との係わり自体は、当業者に周知の技術であり、詳細は述べないが、本考案の役割について、最低限説明すると、蝶型移動子５３ａは、図５の（ａ）に示されているように、押圧体５２に穿設された穴５２ｈに蝶型移動子５３ａの突起５３ｂを回転可能に嵌入させている。したがって、図５の（ｂ）に示されるように、蝶型移動子５３ａが溝Ｇ４の幅狭部ＧＣの上端部５１ｂに蝶型移動子５３ａの凸部５３ｃ、５３ｄが当接している。この実線で示した蝶型移動子５３ａの状態が、図１におけるピン５３が押圧体５２の下側の凹部５２ｂに挿し込まれたものに対応する。この状態から軽く下方に押圧体５２を押圧すると、すでに説明したとおり、蝶型移動子５３ａは押圧体５２と連結されているので、押圧体５２の下方への移動に伴って、蝶型移動子５３ａも下方に移動する。蝶型移動子５３ａは、幅広部ＧＡと遷移部ＧＢとの境界である、角部Ｘ、Ｙで蝶型移動子５３ａがひっかかり、押圧体５２を下側の位置で保持する。この２点鎖線で示された蝶型移動子５３ａの状態が、図２におけるピン５３が押圧体５２の上側の凹部５２ａに挿し込まれたものに対応する。
【００２９】
図５に示す戸当りによれば、磁石Ｍにひきつけられた当接板５６が対向部５１ａに近接または接触して、当接板５６の孔Ｈ２に棒状体５４の鉤状部分５４ｂが嵌入したとき、棒状体５４が床面Ｆから遠ざかる方向に移動不能であり、棒状体５４の鉤状部分部５４ｂの当接板５６の孔Ｈ２への嵌入状態が維持可能であり、孔Ｈ２と棒状体５４との係合時に、扉が強風に煽られたり、人がぶつかるなどによって外力が付与されても、係合が解除されることがなく、扉を確実にロックすることができる。
【符号の説明】
【００３０】
５１  基部
５１ａ  対向部
５２  押圧体
５４  棒状体
５４ｂ  鉤状部分
５６  当接板
Ｄ  扉
Ｄ１  扉の下端
Ｆ  床面
Ｇ、Ｇ４  溝
Ｇ３  長孔
Ｈ２  孔
Ｍ  磁石
Ｓ  ばね
【図１】
0003157504.tif 000003
【図２】
0003157504.tif 000004
【図３】
0003157504.tif 000005
【図４】
0003157504.tif 000006
【図５】
0003157504.tif 000007
【図６】
0003157504.tif 000008
【図７】
0003157504.tif 000009
【図８】
0003157504.tif 000010
【図９】
0003157504.tif 000011
【図１０】
0003157504.tif 000012
【図１１】
0003157504.tif 000013
【図１２】
0003157504.tif 000014